(57)【要約】【課題】第１及び第２の吸着体を強い磁力で吸着させてディスクを挟持する場合に、クランプ解除動作の駆動電圧を低く抑えられるようにする。【解決手段】第１吸着体６１に磁力で吸引される第２吸着体６５を枠体４に取り付け、枠体４の自由端部をカム機構２の昇降体２６に連結し、昇降体２６の下降動作に追従する枠体４の下向き揺動を通じて第２吸着体６５が第１吸着体６１から離反するようにする。枠体４はダンパー５１，５２を介して筐体１側と昇降体２６側とに取り付ける。カム体２のカム面２５に２つの傾斜面２２，２２及び水平面２３，２３を具備させ、カム体２１の横行動作によって一方側突起２７が一方側傾斜面２２に係合した後に他方側突起２６が他方側傾斜面２７に係合するようにそれら２つの突起２６，２６の相互間隔を定める。【選択図】　　　　図１
0003097878.tif 000002
【実用新案登録請求の範囲】
【請求項１】
磁力により吸引し合ってディスクを挟持する回転自在な第１吸着体とその第１吸着体の相手方となる第２吸着体とを備えたクランプ機構を有し、第２吸着体が、前後方向一端部に定められた支点を中心にして上下揺動可能で前後方向長さが横方向長さよりも長い枠体に装備されたターンテーブルとして形成され、上記枠体の前後方向他端部によって形成されている自由端部が、横行可能なカム体とそのカム体の横行動作に追従して上下動される昇降体とを備えるカム機構の上記昇降体に連結されていて、上記昇降体の下降動作に追従する上記枠体の下向き揺動を通じて上記第２吸着体が上記第１吸着体から離反して上記クランプ機構によるディスク挟持状態が解除されるようになっているディスク装置において、
上記昇降体が前後方向の軸線周りに傾動可能で、上記枠体はその前後方向一端部の左右２箇所が弾力性を備えたダンパーを介して固定側部材に取り付けられ、その自由端部の左右２箇所が上記昇降体に具備された取付部に弾力性を備えたダンパーを介して取り付けられていて、それらのダンパーの変形を介して当該枠体が上記昇降体の傾動に追従して当該枠体を縦断する前後方向の軸線周りに傾動するようになっており、
上記カム体に具備されたカム面が同一勾配を持つ２つの傾斜面とそれらの傾斜面のそれぞれの上端に各別に連続する２つの水平面とを有していると共に、上記昇降体がその上動位置で２つの上記水平面に各別に係合される２つの突起を有し、それらの突起は、カム体の横行動作によって一方側の突起が一方側の傾斜面に係合した後に他方側の突起が他方側の傾斜面に係合するように相互間隔が定めれていて、上記カム面の２つの水平面と２つの傾斜面とによって、上記昇降体を前後方向の軸線周りに傾動させる手段が形成されていることを特徴とするディスク装置。
【請求項２】
磁力により吸引し合ってディスクを挟持する回転自在な第１吸着体とその第１吸着体の相手方となる第２吸着体とを備えたクランプ機構を有し、第２吸着体が、前後方向一端部に定められた支点を中心にして上下揺動可能で前後方向長さが横方向長さよりも長い枠体に装備されたターンテーブルとして形成され、上記枠体の前後方向他端部によって形成されている自由端部が、横行可能なカム体とそのカム体の横行動作に追従して上下動される昇降体とを備えるカム機構の上記昇降体に連結されていて、上記昇降体の下降動作に追従する上記枠体の下向き揺動を通じて上記第２吸着体が上記第１吸着体から離反して上記クランプ機構によるディスク挟持状態が解除されるようになっているディスク装置において、
上記昇降体が前後方向の軸線周りに傾動可能で、かつ、その昇降体の傾動に追従して上記枠体が当該枠体を縦断する前後方向の軸線周りに傾動するように上記自由端部が上記昇降体に連結されていると共に、上記カム体に、上記昇降体を下降させる前にその昇降体を前後方向の軸線周りに傾動させる手段を付加してあることを特徴とするディスク装置。
【請求項３】
上記カム体に具備されたカム面が同一勾配を持つ２つの傾斜面とそれらの傾斜面のそれぞれの上端に各別に連続する２つの水平面とを有していると共に、上記昇降体がその上動位置で２つの上記水平面に各別に係合される２つの突起を有し、それらの突起は、カム体の横行動作によって一方側の突起が一方側の傾斜面に係合した後に他方側の突起が他方側の傾斜面に係合するように相互間隔が定めれていて、上記昇降体を前後方向の軸線周りに傾動させる手段が、カム面の２つの水平面と２つの傾斜面とによって形成されている請求項２に記載したディスク装置。
【請求項４】
上記枠体はその前後方向一端部が弾力性を備えたダンパーを介して固定側部材に取り付けられ、その自由端部が、上記昇降体に具備された取付部に弾力性を備えたダンパーを介して取り付けられている請求項３に記載したディスク装置。
【考案の詳細な説明】
【０００１】
【考案の属する技術分野】
本考案は、ディスク装置、特に、ディスクを挟持するクランプ機構が、磁力により吸引し合ってディスクを挟持する回転自在な第１吸着体とその第１吸着体の相手方となる第２吸着体とを備え、第２吸着体が、前後方向長さが横方向長さよりも長く形成されている枠体に装備されたターンテーブルとして形成されているディスク装置に関する。
【０００２】
【従来の技術】
図３はこの種のディスク装置の概略縦断側面図、図４は図３のディスク装置を一部省略して示した概略平面図であり、これらの図を参照してディスク装置の基本構成を説明する。
【０００３】
図３又は図４において、１は箱形の筐体、２はカム機構であって、カム機構２は、筐体１に矢印Ｗで示した横方向にスライド自在に取り付けられたカム体２１と、このカム体２１の横行動作に追従して垂直に上下動される昇降体２６とを備えていて、昇降体２６は、その昇降体２６に備わっている横長の取付部２８を垂直方向昇降可能に筐体１に支持しておくことによって垂直方向の上下動が案内されるようになっている。４はシャーシでなる枠体である。この枠体４は、前後方向長さが横方向長さよりも長く形成されていて、前後方向一端部の左右２箇所に設けられた取付片４１，４１が、筐体１の後端部の左右２箇所にゴム製のダンパー５１，５１を介して取り付けられているのに対し、前後方向他端部によって形成されている自由端部の左右２箇所に設けられた取付片４２，４２が、上記昇降体２６の取付部２８の左右２箇所にゴム製のダンパー５２，５２を介して取り付けられている。
【０００４】
図３において、６はクランプ機構である。このクランプ機構６は、マグネットを装備した第１吸着体６１とその相手方となる第２吸着体６５とを備えていて、第１吸着体６１は、筐体１に固着された支持フレーム６２の孔部６３に回転自在に遊嵌合されている。これに対し、第２吸着体６５は、枠体４側に設置されているモータＭの回転軸に固着されたターンテーブル６６として形成されていて、枠体４の自由端部近傍に配備されている。
【０００５】
この基本構成を備えたディスク装置において、ディスクトレイ７によってディスクＤが搬入されると、カム体２１に具備されているラック３２に噛み合ったピニオン３１の回転によってそのカム体２１が一方向に横行し、その横行動作によって昇降体２６が垂直に上動して枠体４の自由端部が持ち上げられ、これにより、枠体４がその前後方向一端部のダンパー４１，４１の設置箇所を支点として上向きに揺動する。このときの一連の動作により、図３に実線で示したように、第１吸着体６１に装備されたマグネットの磁力によって、第１吸着体６１と第２吸着体６５とが互いに吸引し合ってディスクＤをディスクトレイ７から浮き上がった位置で挟持する。この状態がクランプ状態である。この後、モータＭが始動すると、第２吸着体６５に共用されているターンテーブル６６が第１吸着体６１との共働によりディスクＤを挟持した状態で回転し、そのようにして回転しているディスクの記録面を、図示していない光ピックアップが走査して記録又は再生が行われる。
【０００６】
一方、クランプ状態を解除するときには、ラック３２を逆転させてカム体２１を逆方向に横行させ、その横行動作によって昇降体２６を下動させる。これにより、昇降体２６の下動に追従する枠体４の自由端部が、その前後方向一端部のダンパー４１，４１の設置箇所を支点として下向きに揺動するので、第１吸着体６１に吸引されていた第２吸着体６５（ターンテーブル６６）がその第１吸着体６１から図４仮想線のように離反し、その途中でディスクＤがディスクトレイ７に受け渡される。これがクランプ解除動作である。
【０００７】
以上説明したディスク装置において、従来は、カム機構２が図５に示した構成を有していた。すなわち、図５（Ａ）（Ｂ）（Ｃ）のように、カム体２１には、同一勾配を持つ左右２つの傾斜面２２，２２と、これらの傾斜面２２，２２のそれぞれの上端に各別に連続する左右２つの上側水平面２３，２３と、左右２つの傾斜面２２，２２のそれぞれの下端に各別に連続する左右２つの下側水平面２４，２４とによって形成されたカム面２５が備わっているのに対し、昇降体２６がそれぞれの傾斜面２２，２２や上下の水平面２３，２３，２４，２４に各別に対応した２つの突起２７，２７を有していて、カム体２１が横行したときには、２つの突起２７，２７がそれぞれに対応する傾斜面２２，２２や上下の水平面２３，２３，２４，２４の同一の位相に位置しつつ案内されるようになっていた。すなわち、クランプ状態では、図５（Ａ）のように左右の上側水平面２３，２３に左右の突起２７，２７が各別に係合していて、クランプ解除のためにカム体２１が同図（Ｂ）の矢印ａ方向に横行すると、左右の突起２７，２７がタイミングを合わせて同時に左右の傾斜面２２，２２に移行し、カム体２１がさらに同図（Ｃ）の矢印ａ方向に横行すると、左右の突起２７，２７がタイミングを合わせて同時に左右の下側水平面２４，２４に移行するようになっていて、その過程では、同図（Ａ）（Ｂ）（Ｃ）のように、昇降体２６やその昇降体２６の取付部２８に連結されている枠体４の自由端部（図３又は図４参照）が下方へ平行移動するようになっていた。
【０００８】
一方、先行例としてのディスク装置には、上記枠体に相当するクランプアームの横方向両側にカム機構を配備し、クランプ解除時には、それらのカム機構の作用によって、先上がり姿勢のクランプアームの自由端部を、クランプアームが水平になるまで下方に揺動させた後、クランプアームの全体を下方に平行移動させることによって、クランプ解除状態でのクランプ機構の開度を大きくするという技術が開示されている（例えば、特許文献１参照）。
【０００９】
また、他の先行例としての磁気ディスク駆動装置には、フレキシブルディスクでなる磁気ディスクをディスク駆動軸にマグネットの吸着力を利用して結合する場合に、磁気ディスクを前下りに傾斜させた後、水平姿勢にしてディスク駆動軸に結合する技術が開示されている。（例えば、特許文献２参照）。
【００１０】
【特許文献１】
特開２００１−２１６７７６号公報
【特許文献２】
特開２００１−２１６７７６号公報
【００１１】
【考案が解決しようとする課題】
ところで、近時では、光ピックアップによってディスクの記録面を走査するようなディスク装置において、ディスクの回転速度の高速化が促進されており、それに伴ってクランプ機構のマグネットの磁力を増大させてディスク挟持力を高めるということが行われている。ところが、マグネットの磁力を増大させてクランプ機構によるディスク挟持力を高めると、クランプ解除動作によって第１吸着体から第２吸着体を引き剥がすことに要する力も大きくなる。
【００１２】
しかしながら、図５で説明した構成のカム機構２を採用した従来のディスク装置には次の問題点があった。この問題点を図６に参照して説明する。
【００１３】
すなわち、ディスク装置では、光ピックアップの移動領域の長さとの関係から、図６（Ａ）に示した枠体４の前後方向長さＬ２がその横方向長さよりも長くなっていて、その前後方向長さＬ２が比較的長い寸法を有している。これに対し、従来のディスク装置のカム機構２（図５参照）では、枠体４の前後方向一端部を支点Ｐ１としてその自由端部をカム機構２の作用により下向きに平行移動させている。そのために、図６（Ａ）のように第１吸着体６１と吸引し合っている第２吸着体６５を、同図（Ｂ）のように第１吸着体６１から引き剥がすときに、枠体４の自由端部の下動幅Ｈ２の大きさの割りに第１吸着体６１と第２吸着体６５との開き角度θ２が小さく抑えられる。このように、クランプ解除動作に際して、枠体４の自由端部の下動幅Ｈ２の大きさの割りに第１吸着体６１と第２吸着体６５との開き角度θ２が小さく抑えられていると、第１吸着体６１と第２吸着体６５の吸引力が大きい場合には、クランプ解除動作に要する駆動電圧値として非常に大きな値が必要になって確実なクランプ解除動作を行わせる場合の障害になるという問題があった。この問題は、上掲の先行例で開示された技術によっては解決できない。
【００１４】
本考案は以上の問題に鑑みてなされたものであり、第１吸着体６１と第２吸着体６５の吸引力が大きく定められてクランプ機構によるディスク挟持力が大きい場合であっても、クランプ解除動作に要する駆動電圧値が小さくて済み、確実で信頼性の高いクランプ解除動作が行われるディスク装置を提供することを目的とする。
【００１５】
また、本考案は、カム機構の構成に変更を加えるだけで、クランプ機構によるディスク挟持力が大きい場合であっても、クランプ解除動作に要する駆動電圧値が小さくて済み、確実で信頼性の高いクランプ解除動作が行われるディスク装置を提供することを目的とする。
【００１６】
さらに、本考案は、前後方向長さが横方向長さよりも長いという枠体４の形状や、その枠体４がダンパー４１，４２を介して筐体１や昇降体２６の取付部２８などに取り付けられているということに着目し、枠体４の形状やダンパーの変形可能な性質を利用することによって、クランプ機構によるディスク挟持力が大きくい場合であっても、クランプ解除動作に要する駆動電圧値が小さくて済み、確実で信頼性の高いクランプ解除動作が行われるディスク装置を提供することを目的とする。
【００１７】
【課題を解決するための手段】
本考案に係るディスク装置は、磁力により吸引し合ってディスクを挟持する回転自在な第１吸着体とその第１吸着体の相手方となる第２吸着体とを備えたクランプ機構を有し、第２吸着体が、前後方向一端部に定められた支点を中心にして上下揺動可能で前後方向長さが横方向長さよりも長い枠体に装備されたターンテーブルとして形成され、上記枠体の前後方向他端部によって形成されている自由端部が、横行可能なカム体とそのカム体の横行動作に追従して上下動される昇降体とを備えるカム機構の上記昇降体に連結されていて、上記昇降体の下降動作に追従する上記枠体の下向き揺動を通じて上記第２吸着体が上記第１吸着体から離反して上記クランプ機構によるディスク挟持状態が解除されるようになっている。
【００１８】
そして、上記昇降体が前後方向の軸線周りに傾動可能で、かつ、その昇降体の傾動に追従して上記枠体が当該枠体を縦断する前後方向の軸線周りに傾動するように上記自由端部が上記昇降体に連結されていると共に、上記カム体に、上記昇降体を下降させる前にその昇降体を前後方向の軸線周りに傾動させる手段を付加してある。
【００１９】
この構成であれば、クランプ解除動作の初期には、カム体に付加された上記手段の作用により、昇降体が下降する前に前後方向の軸線周りに傾動し、その昇降体の傾動に追従して枠体が当該枠体を縦断する前後方向の軸線周りに傾動する。そして、枠体は、前後方向長さが横方向長さよりも長い形状、言い換えると、横方向長さが前後方向長さよりも短い形状を有しているため、クランプ解除動作の初期の当該枠体を縦断する前後方向の軸線周りの傾動によって、第１吸着体と第２吸着体との開き角度が、クランプ解除動作の初期に枠体の自由端部を下方へ平行移動させるという従来の場合に比べ、枠体の傾動幅の割に大きくなる。その結果、クランプ解除動作の初期に昇降体を少し傾動させるだけで第１吸着体及び第２吸着体の相互の吸引力が急激に小さくなり、その後の昇降体の下動に追従する枠体の下向き揺動に要する力が少なくて済み、クランプ解除動作に要する駆動電圧値が小さく抑えられる。したがって、第１及び第２の吸着体の磁力による吸引力を大きくしても、確実で信頼性の高いクランプ解除動作が行われるようになる。
【００２０】
本考案では、上記カム体に具備されたカム面が同一勾配を持つ２つの傾斜面とそれらの傾斜面のそれぞれの上端に各別に連続する２つの水平面とを有していると共に、上記昇降体がその上動位置で２つの上記水平面に各別に係合される２つの突起を有し、それらの突起は、カム体の横行動作によって一方側の突起が一方側の傾斜面に係合した後に他方側の突起が他方側の傾斜面に係合するように相互間隔が定めれていて、上記昇降体を前後方向の軸線周りに傾動させる手段が、カム面の２つの水平面と２つの傾斜面とによって形成されている、という構成を採用することが望ましい。これによれば、図６で説明した従来のディスク装置に採用されていたカム機構における、昇降体の２つの突起の間隔、又は、カム面を形成している２つの傾斜面や上側水平面の間隔を変更するだけで、特別に部品を追加することなく、昇降体を、下降する前に前後方向の軸線周りに傾動させることが可能になる。
【００２１】
本考案において、上記枠体はその前後方向一端部が弾力性を備えたダンパーを介して固定側部材に取り付けられ、その自由端部が、上記昇降体に具備された取付部に弾力性を備えたダンパーを介して取り付けられていることが望ましい。これによれば、ダンパーの変形を介して枠体を傾動させることができるようになる。
【００２２】
本考案に係るディスク装置は、次の構成を採用することによっていっそう具体化される。すなわち、磁力により吸引し合ってディスクを挟持する回転自在な第１吸着体とその第１吸着体の相手方となる第２吸着体とを備えたクランプ機構を有し、第２吸着体が、前後方向一端部に定められた支点を中心にして上下揺動可能で前後方向長さが横方向長さよりも長い枠体に装備されたターンテーブルとして形成され、上記枠体の前後方向他端部によって形成されている自由端部が、横行可能なカム体とそのカム体の横行動作に追従して上下動される昇降体とを備えるカム機構の上記昇降体に連結されていて、上記昇降体の下降動作に追従する上記枠体の下向き揺動を通じて上記第２吸着体が上記第１吸着体から離反して上記クランプ機構によるディスク挟持状態が解除されるようになっているディスク装置において、上記昇降体が前後方向の軸線周りに傾動可能で、上記枠体はその前後方向一端部の左右２箇所が弾力性を備えたダンパーを介して固定側部材に取り付けられ、その自由端部の左右２箇所が上記昇降体に具備された取付部に弾力性を備えたダンパーを介して取り付けられていて、それらのダンパーの変形を介して当該枠体が上記昇降体の傾動に追従して当該枠体を縦断する前後方向の軸線周りに傾動するようになっており、上記カム体に具備されたカム面が同一勾配を持つ２つの傾斜面とそれらの傾斜面のそれぞれの上端に各別に連続する２つの水平面とを有していると共に、上記昇降体がその上動位置で２つの上記水平面に各別に係合される２つの突起を有し、それらの突起は、カム体の横行動作によって一方側の突起が一方側の傾斜面に係合した後に他方側の突起が他方側の傾斜面に係合するように相互間隔が定めれていて、上記カム面の２つの水平面と２つの傾斜面とによって、上記昇降体を前後方向の軸線周りに傾動させる手段が形成されている、という構成を採用することによっていっそう具体化される。この考案による作用は次の実施形態を参照して説明する。
【００２３】
【考案の実施の形態】
図１は本考案の実施形態によるディスク装置のカム機構２の構成と作用を説明するための一部省略正面図、図２はクランプ解除時の枠体４の傾動による作用を示した正面から見た説明図である。
【００２４】
この実施形態に係るディスク装置の基本構成は、図３又は図４で説明したところと同様である。すなわち、図３又は図４のように、カム機構２が筐体１に矢印Ｗで示した横方向にスライド自在に取り付けられたカム体２１と、このカム体２１の横行動作に追従して垂直に上下動される昇降体２６とを備えている。そして、シャーシでなる枠体４は、前後方向長さが横方向長さよりも長く形成されていて、前後方向一端部の左右２箇所に設けられた取付片４１，４１が、筐体１の後端部の左右２箇所にゴム製のダンパー５１，５１を介して取り付けられ、前後方向他端部によって形成されている自由端部の左右２箇所に設けられた取付片４２，４２が、上記昇降体２６の取付部２８の左右２箇所にゴム製のダンパー５２，５２を介して取り付けられている。また、クランプ機構６は、マグネットを装備して回転自在に支持フレーム６２の孔部６３に遊嵌合された第１吸着体６１とその相手方となる第２吸着体６５とを備えている。そして、第２吸着体６５は、枠体４側に設置されているモータＭの回転軸に固着されたターンテーブル６６として形成されていて、枠体４の自由端部近傍に配備されている。
【００２５】
この実施形態において、カム機構２は次の点で図５で説明した従来のディスク装置のカム機構２と同一の構成になっている。すなわち、図１（Ａ）（Ｂ）（Ｃ）のように、カム体２１には、同一勾配を持つ左右２つの傾斜面２２，２２と、これらの傾斜面２２，２２のそれぞれの上端に各別に連続する左右２つの上側水平面２３，２３と、左右２つの傾斜面２２，２２のそれぞれの下端に各別に連続する左右２つの下側水平面２４，２４とによって形成されたカム面２５が備わっているのに対し、昇降体２６がそれぞれの傾斜面２２，２２や上下の水平面２３，２３，２４，２４に各別に対応した２つの突起２７，２７を有している、という点で図５のカム機構と同一の構成を有している。
【００２６】
しかし、次の点で異なっている。すなわち、昇降体２６がカム体２１の横行動作によって上動されているクランプ状態では、図１（Ａ）のように昇降体２６の２つの突起２７，２７が２つの水平面２３，２３に各別に係合されているけれども、クランプ解除動作が行われる初期のカム体２１の横行動作では、一方側（図中右側）の突起２７が一方側（図中右側）の傾斜面２２に係合した後に、タイミングをずらせて、他方側（図中左側）の突起２７が他方側（図中左側）の傾斜面２２に係合した後、それらの突起２７，２７が各傾斜面２２を摺動して図１（Ｂ）の状態になり、その後、一方側の突起２７が下側水平面２４に移行した後に、タイミングをずらせて、他方側の突起２７が下側水平面２４に移行して図１（Ｃ）の状態になる、という点で異なっている。
【００２７】
このような動作は、カム面２５の２つの傾斜面２２，２２や上下の水平面２３，２３，２４，２４の間隔を図５の場合と同一に定め、２つの突起２７，２７の間隔を図５の場合よりも少し狭めることによって行われるようになる。また、その逆に、２つの突起２７，２７の間隔を図５の場合と同等に定め、カム面２５の２つの傾斜面２２，２２や上下の水平面２３，２３，２４，２４の間隔を図５の場合よりも少し拡げることによっても行われるようになる。
カム機構２が上記のように構成されていると、図２（Ａ）のように第１吸着体６１と第２吸着体６５とが互いに吸引し合ってディスクＤを挟持しているクランプ状態からクランプ解除動作が行われると、クランプ解除動作の初期に、２つの突起２７，２７を有する昇降体２６が前後方向の軸線周りで傾動してその取付部２８も傾動するので、ダンパー５１（図３又は図４参照）を介して前後方向一端部の２箇所が筐体１に取り付けられている枠体４も昇降体２の傾動に追従して同一方向に傾動する。そして、枠体４は、図１（Ａ）に示した横方向長さＬ１が図６に示した前後方向長さＬ２よりも短いため、クランプ解除動作の初期の、枠体４を縦断する前後方向の軸線周りの枠体４の傾動により、図２（Ｂ）示したように第１吸着体６１と第２吸着体６５との開き角度θ１が、枠体４の傾動幅Ｈ１の割に大きくなる。その結果、クランプ解除動作の初期に昇降体２６を少し傾動させるだけで第１吸着体６１及び第２吸着体６５の相互の吸引力が急激に小さくなり、その後の昇降体２６の下動に追従する枠体４の下向き揺動に要する力が少なくて済み、クランプ解除に要する駆動電圧値が小さく抑えられる。したがって、第１及び第２の吸着体６１，６５の磁力による吸引力を大きくしても、確実で信頼性の高いクランプ解除動作が行われるようになる。
【００２８】
このカム機構２において、クランプ機構６によってディスクＤを挟持させるときの動作を図１、図２又は図３を参照して説明する。ディスクトレイ７によってディスクＤが搬入されると、カム体２１に備わっているラック３２と噛み合ったピニオン３１の回転によってそのカム体２１が一方向に横行し、その横行動作によって昇降体２６が上動して枠体４の自由端部が持ち上げられ、これにより、枠体４がその前後方向一端部のダンパー４１，４１の設置箇所を支点として上向きに揺動する。このときの一連の動作により、図３に実線で示したように、第１吸着体６１に装備されたマグネットの磁力によって、第１吸着体６１と第２吸着体６５とが互いに吸引し合ってディスクＤをディスクトレイ７から浮き上がった位置で挟持する。そして、昇降体２６が上動する初期には、図１（Ｃ）のように昇降体２６の２つの突起２７，２７がカム面２５の２つの下部水平面２４，２４に各別に係合しており、次の段階では、図１（Ｂ）のように他方側（図中左側）の突起２７が他方側（図中左側）の傾斜面２２に係合した後に、タイミングをずらせて、一方側（図中右側）の突起２７が一方側（図中右側）の傾斜面２２に係合し、その後、図１（Ａ）のように他方側の突起２７が上側水平面２３に移行した後に、タイミングをずらせて、一方側の突起２７が下側水平面２４に移行する。したがって、この場合には、２つの突起２７，２７が２つの傾斜面２２，２２を摺動するときに、ダンパー５１（図３又は図４参照）の変形を伴って枠体４も昇降体２の傾動に追従して同一方向に傾動した状態になる。
【００２９】
【考案の効果】
以上のように、本考案によれば、クランプ解除動作に際し、枠体に取り付けられている第２吸着体が傾動した後に下動するようになる。そして、第２吸着体の傾動は、前後方向長さよりも横方向長さが短い枠体を前後方向に縦断する軸線周りで行われて第１吸着体と第２吸着体との開き角度が枠体の傾動幅の割に大きくなるので、クランプ解除の初期に昇降体を少し傾動させるだけで第１吸着体及び第２吸着体の相互の吸引力が急激に小さくなり、その後の昇降体の下動に追従する枠体の下向き揺動に要する力が少なくて済み、クランプ解除に要する駆動電圧値が小さく抑えられる。したがって、第１及び第２の吸着体の磁力による吸引力を大きくしても、確実なクランプ解除動作が行われ、クランプ解除動作の信頼性が向上する。
【図面の簡単な説明】
【図１】（Ａ）は本考案の実施形態によるディスク装置におけるクランプ状態でのカム機構の構成と作用を説明するための一部省略正面図、（Ｂ）は同クランプ解除動作の中間段階でのカム機構の構成と作用を説明するための一部省略正面図、（Ｃ）はクランプ解除後のカム機構の構成と作用を説明するための一部省略正面図である。
【図２】（Ａ）は同クランプ状態でのクランプ機構を正面から見て概略的に示した説明図、（Ｂ）は同クランプ解除動作の初期の枠体の傾動による作用を示した正面から見て概略的に示した説明図である。
【図３】ディスク装置の基本構成を示した概略縦断側面図である。
【図４】図３のディスク装置を一部省略して示した概略平面図である。
【図５】（Ａ）は従来のディスク装置に採用されていたディスククランプ時のカム機構の構成を示した説明図、（Ｂ）はクランプ解除の中間段階でのカム機構の構成を示した説明図、（Ｃ）はクランプ解除後のカム機構の構成を示した説明図である。
【図６】従来の問題点を示した説明図である。
【符号の説明】
２　カム機構
６　クランプ機構
２１　カム体
２２　傾斜面
２３　水平面（上側水平面）
２５　カム面
２６　昇降体
２７　突起
２８　取付部
４１，４２　ダンパー
６１　第１吸着体
６５　第２吸着体
６６　ターンテーブル
Ｐ１　支点
Ｌ２　枠体の前後方向長さ
Ｌ１　枠体の横方向長さ
【図１】
0003097878.tif 000003
【図２】
0003097878.tif 000004
【図３】
0003097878.tif 000005
【図４】
0003097878.tif 000006
【図５】
0003097878.tif 000007
【図６】
0003097878.tif 000008